【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
所定条件の成立に基づき、遊技球を受け入れない第１状態と、遊技球を受け入れ易い第２状態とに変換可能な変動入賞装置を備えた遊技機において、
前記変動入賞装置は、
左右方向に移動可能なスライド部材と、
該スライド部材の下方に配設されて左右方向に移動可能な下スライド部材と、
前記スライド部材とその上方を覆う鎧部とによって区画され、左右に球導入経路が形成可能な球導入室と、
前記スライド部材及び下スライド部材とによって区画され、左右に下球導入経路が形成可能な下球導入室と、
前記球導入室を左右に区画する区画壁と、
該区画壁により区画された左側の球導入室に開設された左入賞口と、
前記区画壁により区画された右側の球導入室に開設された右入賞口と、
前記下球導入室の左側に開設された下左入賞口と、
前記下球導入室の右側に開設された下右入賞口と、を備え、
前記スライド部材の両端部には、スライド部材が左右略中央に位置する常態で球導入経路を閉じて球導入室内に遊技球が流入することを阻止し、左または右に移動した状態で球導入経路を開いて球導入室内に遊技球が流入可能とする突起部をそれぞれ形成し、
前記下スライド部材には、前記スライド部材との位置関係により下球導入経路を開閉可能な下突起部を両端部にそれぞれ形成するとともに、左右中央部には、下スライド部材が左右いずれかに移動した状態で、移動した側に位置する入賞口への入賞を阻止して反対側に位置する入賞口への入賞を許容する阻止部を設け、
前記第１状態においては、
前記スライド部材が略中央に位置して両突起部が両球導入経路を閉じて球導入室内への遊技球の流入を阻止するとともに、前記下スライド部材が略中央に位置して両下突起部が両下球導入経路を閉じて下球導入室内への遊技球の流入を阻止し、
前記第２状態においては、
前記スライド部材が左または右方向のいずれかへ移動して、移動した側の突起部が球導入経路を開いて当該側の入賞口への入賞を可能とするとともに、反対側の突起部が球導入経路を閉じて当該側の入賞口への入賞を阻止するように構成し、
前記下スライド部材が前記スライド部材とは反対側へ移動して、移動した側の下突起部が下球導入経路を開くとともに阻止部が当該側の入賞口への入賞を阻止して反対側の入賞口への入賞を可能としたことを特徴とする遊技機。
【請求項２】
所定条件の成立に基づき、遊技球を受け入れない第１状態と、遊技球を受け入れ易い第２状態とに変換可能な変動入賞装置を備えた遊技機において、
前記変動入賞装置は、
左右方向に移動可能なスライド部材と、
該スライド部材の下方に配設されて左右方向に移動可能な下スライド部材と、
前記スライド部材とその上方を覆う鎧部とによって区画され、左右に球導入経路が形成可能な球導入室と、
前記スライド部材及び下スライド部材とによって区画され、左右に下球導入経路が形成可能な下球導入室と、
前記球導入室を左右に区画する区画壁と、
該区画壁により区画された左側の球導入室に開設された左入賞口と、
前記区画壁により区画された右側の球導入室に開設された右入賞口と、
前記下球導入室の略中央に開設された下入賞口と、を備え、
前記スライド部材の両端部には、スライド部材が左右略中央に位置する常態で球導入経路を閉じて球導入室内に遊技球が流入することを阻止し、左または右に移動した状態で球導入経路を開いて球導入室内に遊技球が流入可能とする突起部をそれぞれ形成し、
前記第１状態においては、
前記スライド部材が略中央に位置して両突起部が両球導入経路を閉じて球導入室内への遊技球の流入を阻止し、
前記第２状態においては、
前記スライド部材が左または右方向のいずれかへ移動して、移動した側の突起部が球導入経路を開いて当該側の入賞口への入賞を可能とするとともに、反対側の突起部が球導入経路を閉じて当該側の入賞口への入賞を阻止するように構成し、
前記下スライド部材には、前記スライド部材との位置関係により下球導入経路を開閉可能な下突起部を両端部にそれぞれ形成するとともに、前記下入賞口の前方に対応した部位に当該下入賞口への常態での入賞を阻止する一方、左または右に移動すると下入賞口への入賞を許容する阻止部を設けたことを特徴とする遊技機。
【請求項３】
前記変動入賞装置は、
前記下球導入室を下左室と下右室に区画するとともに、前記阻止部を左右方向に通過させる通過空部を有する下区画壁を備え、
前記第２状態において、下スライド部材が略中央に停止したままスライド部材が右または左に移動して左または右下球導入経路を開いて下左室または下右室内に遊技球を貯留可能としたことを特徴とする請求項２に記載の遊技機。
【請求項４】
複数の識別情報を変動表示し、その停止態様によって、前記変動入賞装置を作動させるための変動表示ゲームを行う変動表示装置と、
前記変動表示ゲームを始動させるための複数の始動口と、を遊技領域に備え、
前記変動表示ゲームを通常状態に比して特別遊技状態が発生し易い高確率状態に変換可能に構成し、
前記下入賞口を前記始動口とし、
前記下左室または下右室に停留された遊技球が前記下入賞口に入賞した入賞球数分、高確率状態として変動表示ゲームを実行するようにしたことを特徴とする請求項３に記載の遊技機。
【手続補正２】
【補正対象書類名】明細書
【補正対象項目名】０００８
【補正方法】変更
【補正の内容】
【０００８】
本発明は、上記に鑑み提案されたものであり、請求項１に記載のものは、所定条件の成立に基づき、遊技球を受け入れない第１状態と、遊技球を受け入れ易い第２状態とに変換可能な変動入賞装置を備えた遊技機において、
前記変動入賞装置は、
左右方向に移動可能なスライド部材と、
該スライド部材の下方に配設されて左右方向に移動可能な下スライド部材と、
前記スライド部材とその上方を覆う鎧部とによって区画され、左右に球導入経路が形成可能な球導入室と、
前記スライド部材及び下スライド部材とによって区画され、左右に下球導入経路が形成可能な下球導入室と、
前記球導入室を左右に区画する区画壁と、
該区画壁により区画された左側の球導入室に開設された左入賞口と、
前記区画壁により区画された右側の球導入室に開設された右入賞口と、
前記下球導入室の左側に開設された下左入賞口と、
前記下球導入室の右側に開設された下右入賞口と、を備え、
前記スライド部材の両端部には、スライド部材が左右略中央に位置する常態で球導入経路を閉じて球導入室内に遊技球が流入することを阻止し、左または右に移動した状態で球導入経路を開いて球導入室内に遊技球が流入可能とする突起部をそれぞれ形成し、
前記下スライド部材には、前記スライド部材との位置関係により下球導入経路を開閉可能な下突起部を両端部にそれぞれ形成するとともに、左右中央部には、下スライド部材が左右いずれかに移動した状態で、移動した側に位置する入賞口への入賞を阻止して反対側に位置する入賞口への入賞を許容する阻止部を設け、
前記第１状態においては、
前記スライド部材が略中央に位置して両突起部が両球導入経路を閉じて球導入室内への遊技球の流入を阻止するとともに、前記下スライド部材が略中央に位置して両下突起部が両下球導入経路を閉じて下球導入室内への遊技球の流入を阻止し、
前記第２状態においては、
前記スライド部材が左または右方向のいずれかへ移動して、移動した側の突起部が球導入経路を開いて当該側の入賞口への入賞を可能とするとともに、反対側の突起部が球導入経路を閉じて当該側の入賞口への入賞を阻止するように構成し、
前記下スライド部材が前記スライド部材とは反対側へ移動して、移動した側の下突起部が下球導入経路を開くとともに阻止部が当該側の入賞口への入賞を阻止して反対側の入賞口への入賞を可能としたことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２に記載のものは、所定条件の成立に基づき、遊技球を受け入れない第１状態と、遊技球を受け入れ易い第２状態とに変換可能な変動入賞装置を備えた遊技機において、
前記変動入賞装置は、
左右方向に移動可能なスライド部材と、
該スライド部材の下方に配設されて左右方向に移動可能な下スライド部材と、
前記スライド部材とその上方を覆う鎧部とによって区画され、左右に球導入経路が形成可能な球導入室と、
前記スライド部材及び下スライド部材とによって区画され、左右に下球導入経路が形成可能な下球導入室と、
前記球導入室を左右に区画する区画壁と、
該区画壁により区画された左側の球導入室に開設された左入賞口と、
前記区画壁により区画された右側の球導入室に開設された右入賞口と、
前記下球導入室の略中央に開設された下入賞口と、を備え、
前記スライド部材の両端部には、スライド部材が左右略中央に位置する常態で球導入経路を閉じて球導入室内に遊技球が流入することを阻止し、左または右に移動した状態で球導入経路を開いて球導入室内に遊技球が流入可能とする突起部をそれぞれ形成し、
前記第１状態においては、
前記スライド部材が略中央に位置して両突起部が両球導入経路を閉じて球導入室内への遊技球の流入を阻止し、
前記第２状態においては、
前記スライド部材が左または右方向のいずれかへ移動して、移動した側の突起部が球導入経路を開いて当該側の入賞口への入賞を可能とするとともに、反対側の突起部が球導入経路を閉じて当該側の入賞口への入賞を阻止するように構成し、
前記下スライド部材には、前記スライド部材との位置関係により下球導入経路を開閉可能な下突起部を両端部にそれぞれ形成するとともに、前記下入賞口の前方に対応した部位に当該下入賞口への常態での入賞を阻止する一方、左または右に移動すると下入賞口への入賞を許容する阻止部を設けたことを特徴とする遊技機である。
【手続補正５】
【補正対象書類名】明細書
【補正対象項目名】００１１
【補正方法】変更
【補正の内容】
【００１１】
請求項３に記載のものは、前記変動入賞装置が、
前記下球導入室内を下左室と下右室とに区画すると共に、前記阻止部を左右方向に通過させる通過空部を有する下区画壁を備え、
第２状態において、下スライド部材が略中央に停止したままスライド部材が右または左に移動して左または右の下球導入経路を開いて下左室または下右室内に遊技球を貯留可能としたことを特徴とする請求項２に記載の遊技機である。
【手続補正６】
【補正対象書類名】明細書
【補正対象項目名】００１２
【補正方法】変更
【補正の内容】
【００１２】
請求項４に記載のものは、複数の識別情報を変動表示し、その停止態様によって、前記変動入賞装置を作動させる特別遊技状態を発生させるための変動表示ゲームを行う変動表示装置と、
前記変動表示ゲームを始動させるための複数の始動口と、
を遊技領域に備え、
前記変動表示ゲームを通常状態に比して特別遊技状態が発生し易い高確率状態に変換可能に構成し、
前記下左入賞口および下右入賞口を前記始動口とし、
前記下左室または下右室に停留された遊技球が前記下入賞口へ入賞した入賞球数分、高確率状態として変動表示ゲームを実行するようにしたことを特徴とする請求項３に記載の遊技機である。
【手続補正７】
【補正対象書類名】明細書
【補正対象項目名】００１４
【補正方法】変更
【補正の内容】
【００１４】
また、下スライド部材の突起部が下左入賞口および下右入賞口の各下球導入経路を閉じている第１の状態から第２の状態に変換すると、スライド部材と下スライド部材とが相反する方向へ移動して、下スライド部材の一方の突起部が一方の下球導入経路を開放するとともに、他方の突起部が他方の下球導入経路を閉じ、且つ、阻止部が開いた側に近い下左入賞口または下右入賞口への入賞を阻止するとともに、遠い下右入賞口または下左入賞口への入賞を可能とするので、スライド部材と下スライド部材とが相反する方向へ移動して上球導入室と下球導入室とで異なる側の球導入経路を開放しても、同じ側の上下の入賞口に遊技球を入賞させることができ、賞球数の混同を防止することができ、又、新規な遊技構成により遊技者の興趣を高めることができる。さらに、遊技球を効率よく入賞させることができるとともに、入賞口に入賞する遊技球の転動を遊技者にみせることができ、これによっても遊技の興趣を高めることができる。
【手続補正８】
【補正対象書類名】明細書
【補正対象項目名】００１５
【補正方法】変更
【補正の内容】
【００１５】
請求項２に記載の発明によれば、下スライド部材の突起部が下入賞口の各下球導入経路を閉じている第１の状態から第２の状態に変換すると、スライド部材のみが移動して下球導入経路を開放し、阻止部により下球導入室に所定数の遊技球を停留させ、その後、下スライド部材が作動して停留した遊技球を下入賞口へ入賞させるので、遊技球の停留により遊技者の期待感を抱かせて興趣を高めることができる。
【手続補正９】
【補正対象書類名】明細書
【補正対象項目名】００１６
【補正方法】変更
【補正の内容】
【００１６】
請求項３に記載の発明によれば、第２の状態において、スライド部材のみが移動して下球導入経路を開放し、阻止部により下右室または下左室に所定数の遊技球を停留させ、下スライド部材が移動して停留した遊技球を下左入賞口または下右入賞口へ入賞させるので、下左入賞口と下右入賞口とで異なる高確率を設定したり、各下入賞口への入賞に対応させた変動ゲームを実行させることができ、遊技者の興趣を高めることができる。
【手続補正１０】
【補正対象書類名】明細書
【補正対象項目名】００１７
【補正方法】変更
【補正の内容】
【００１７】
請求項４に記載の発明によれば、下左入賞口および下右入賞口を変動表示ゲームを始動させるための始動口とし、下左室または下右室に停留された遊技球が下左入賞口または下右入賞口へ入賞した入賞球数分の高確率状態として変動表示ゲームを実行するので、特別遊技中に貯留するかしないかで次の特別遊技の発生が左右されることになり、これにより遊技者の興趣を高めることができる。